(57)【要約】      （修正有）【課題】効率的に入力を増幅できる入力増幅装置を提供する。【解決手段】入力増幅装置は、受け皿部で受けた力がクランク棒２０１〜２０６を介し回転する回転クランク取付台２０と、大小含めた３個の鎖車２２、３２、４２、２個の大小ベルト車４０、５０を、それぞれチェーン２３０、３４０やベルト４５０を介し回してバランスをとることによって、入力から大きく増幅した力を得ることができる。この装置は農業、工業といった生活に利便をもたらす力を提供することが可能となる。【選択図】図２
0003228193.tif 000002
【実用新案登録請求の範囲】
【請求項１】
３本の柱部を有する筐体と、
枠上部に水、及び空気の吹き出し部を有する入力部と、
水、及び空気を受け止める受け皿部と、
前記受け皿部で受けた力がクランク棒を介し回転する回転クランク台部と、
前記回転クランク台部と一体の軸部と、
前記軸部と接続された第１鎖車部と、
前記第１鎖車部が回転することで動作する第１チェーン部と、
前記第１チェーン部が動作することで回転する大鎖車部と、
前記大鎖車と一体となって回転する第２鎖車部と、
前記第２鎖車部が回転することで動作する第２チェーン部と、
前記第２チェーン部が動作することで回転する第３鎖車部と、
前記第３鎖車部と一体と大ベルト車部と、
前記大ベルト車部が回転することで動作するベルト部と、
前記ベルトが動作することで回転するベルト車部と、
前記ベルト部が回転することで、入力に比べ５倍以上の力が出力される回転部と、
を備えることを特徴とする入力増幅装置
【考案の詳細な説明】
【技術分野】
【０００１】
本考案は、入力された力を５倍から１０倍程度へ増幅させる装置に関する。
【背景技術】
【０００２】
従来の入力増幅装置は回転力を増幅させるために、減速回転を行って実現をしていた。
【先行技術文献】
【特許文献】
【０００３】
【特許文献１】特許第３５５４９５６公報
【考案の概要】
【考案が解決しようとする課題】
【０００４】
従来の入力増幅装置は入力の増幅倍率が２倍程度におさまっているにもかかわらず、製造コストが高いという欠点があった。
【課題を解決するための手段】
【０００５】
上記課題を解決するために、請求項１に記載の考案は、  ３本の柱部を有する筐体と、枠上部に水、及び空気の吹き出し部を有する入力部と、水、及び空気を受け止める受け皿部と、前記受け皿部で受けた力がクランク棒を介し回転する回転クランク台部と、前記回転クランク台部と一体の軸部と、前記軸部と接続された第１鎖車部と、前記第１鎖車部が回転することで動作する第１チェーン部と、前記第１チェーン部が動作することで回転する大鎖車部と、前記大鎖車と一体となって回転する第２鎖車部と、前記第２鎖車部が回転することで動作する第２チェーン部と、前記第２チェーン部が動作することで回転する第３鎖車部と、前記第３鎖車部と一体と大ベルト車部と、前記大ベルト車部が回転することで動作するベルト部と、前記ベルトが動作することで回転するベルト車部と、前記ベルト部が回転することで、入力に比べ５倍以上の力が出力される回転部と、を備えることを特徴としている。
【０００６】
本考案によれば、前記回転クランク台部から一体の前記受け皿部先端までの長さを１０００ｍｍとし、入力に０．８ｋｇｆを加えると前記回転部には４ｋｇｆの力でバランスが取ることとなり、入力と比べ５倍の力を得ることができるため、従来の入力増幅装置と同等のコストで課題を解決することができる。
【考案の効果】
【０００７】
本考案は、前記クランク台部のクランク半径を１０００ｍｍの場合、入力を０．８ｋｇｆを加えると、入力と比べ５倍の力を得ることができるため、４ｋｇｆとなるが、クランク半径を２０００ｍｍとした場合、半径は２倍となるため入力は１／２となる０．４ｋｇｆのみでバランスが取れることとなり、入力と比べ１０倍の力を得ることができる。このように、クランク台部の半径によって増幅倍率を変更することができるため、従来の入力増幅装置に加え非常に効率が良いものとなる。
【図面の簡単な説明】
【０００８】
【図１】本実施形態の正面図である。
【図２】本実施形態の斜視図である。
【図３】本実施形態の具体例を含めた正面図である。
【考案を実施するための形態】
【０００９】
以下、添付した図面を参照しながら、本考案の実施形態を説明する。なお、以下の記載は特許請求の範囲に記載される技術的範囲や用語の意義を限定するものではない。
【００１０】
［実施形態例］
先ず、図１に示すように入力増幅装置筐体１に、回転クランク取り付け台２０、大鎖車３０、大ベルト車４０を固定するために、柱２、柱３、柱４を設置する。入力として水圧、もしくは空気圧を利用するため、入力増幅装置筐体１上部に、入力部１０にあたる流出水路、もしくは通気口１１と、吹き出し口１２と、放水路、もしくは空気パイプ１３を設ける。
【００１１】
図２に示すように、柱２の中央部には回転クランク取り付け台２０と一体の軸２１を取り付け、軸２１の他端には鎖車２２を取り付ける。回転クランク取り付け台２０には回転クランク棒２０１〜２０６が均等な間隔で取り付けられ、各回転クランク棒の端には水圧、もしくは空気圧受け皿を取り付ける。柱３上部には鎖車２２よりも直径が大きく歯数も多い大鎖車３０と、大鎖車３０と一体の軸３１を取り付け、軸３１の他端には鎖車２２よりも直径が小さく歯数も少ない鎖車３２を取り付ける。柱４の中央部には大ベルト車４０と、大ベルト車４０と一体の軸４１を取り付け、軸４１の他端には大ベルト車４０と一体に回る鎖車３２よりも直径が小さく歯数が少ない鎖車４２を取り付ける。また、入力増幅装置筐体１の底部に台座５を設け、台座５に大ベルト車よりも直径が小さいベルト車５０と、ベルト車５０と一体となった軸を取り付ける。
【００１２】
軸２１に取り付けられた鎖車２２と大鎖車３０はチェーン２３０を介して互いに回るようにチェーン２３０をかけておく。また鎖車３２と鎖車４２はチェーン３４０を介して互いに回るよう、チェーン３４０をかけておく。
【００１３】
大ベルト車４０とベルト車５０はベルト４５０を介して、互いに回るようにベルト４５０をかけておく。
【００１４】
［実施例１］
次に図３を使って、水圧、または空気圧の入力で、５倍以上の力を得る実施例について説明する。具体的な数値を明記するが、必ずしもその数値である必要はなく、適宜数値を等倍するなどして装置のサイズを変更できるものとする。
【００１５】
回転クランク棒２０１〜２０６を１０００ｍｍの長さとした場合、入力部１０にあたる流出水路、もしくは通気口１１を通ってきた水、もしくは空気が、吹き出し口１２から放水路、もしくは空気パイプ１３で水圧、もしくは空気圧が加えられ、回転クランク棒２０１〜２０６の端に取り付けられている水力もしくは空気圧受け皿が、放水路、もしくは空気パイプ１３から出力された水の水圧、もしくは空気の空気圧を受け止め、回転クランク棒２０１〜２０６が取り付けられている回転クランク取り付け台２０と一体となっている軸２１と鎖車２２が回転する。例えばこの際、鎖車２２は直径１４０ｍｍ、歯数は３３山と仮定する。
【００１６】
回転した鎖車２２はチェーン２３０を介し、大鎖車３０を回転させる。例えばこの際、大鎖車３０は直径２３０ｍｍ、歯数は５５山と仮定する。そこで大鎖車３０と一体となっている鎖車３２も回転する。例えばこの際、鎖車３２は直径６８ｍｍ、歯数は１６山と仮定する。鎖車３２はチェーン３４０を介し、鎖車４２を回転させる。例えばこの際、鎖車４２は直径５７ｍｍ、歯数は１４山と仮定する。鎖車４２が回転すると、一体となっている大ベルト車４０が回転する。例えばこの際、大ベルトは直径６００ｍｍと仮定する。
【００１７】
回転した大ベルト車４０はベルト４５０を介し、ベルト車５０を回転させる。例えばこの際、ベルト車の直径は５７ｍｍと仮定する。そこでベルト車５０と一体となっている軸５１も回転する。
【００１８】
装置の構成を上記のような数値と仮定とした際、入力にあたる水圧もしくは空気圧の力が０．８ｋｇｆの場合は、軸は４．０ｋｇｆの力を出力し、力の増幅率は５倍となる。
【００１９】
同様の出力を出力する際に回転クランク棒２０１〜２０６を２０００ｍｍの長さとした場合、水圧、もしくは空気圧は０．４ｋｇｆとなり、力の増幅倍率は１０倍となる。入力にあたる水圧もしくは空気圧の力が０．８ｋｇｆとした場合は、８．０ｋｇｆの出力を得ることができる。
【００２０】
同様の出力を出力する際に回転クランク棒２０１〜２０６を３０００ｍｍの長さとした場合、水圧、もしくは空気圧は０．２ｋｇｆとなり、力の増幅倍率は２０倍となる。入力にあたる水圧もしくは空気圧の力が０．８ｋｇｆとした場合は、１６．０ｋｇｆの出力を得ることができる。
【符号の説明】
【００２１】
１  入力増幅装置筐体
２  柱
３  柱
４  柱
５  台座
１０  入力部
１１  流出水路、もしくは通気口
１２  吹き出し口
１３  放水路、もしくは空気パイプ
２０  回転クランク取付台
２１  軸
２２  鎖車
２３  ベアリング
３０  大鎖車
３１  軸
３２  鎖車
４０  大ベルト車
４１  軸
４２  鎖車
５０  ベルト車
５１  軸
２０１  回転クランク棒
２０２  回転クランク棒
２０３  回転クランク棒
２０４  回転クランク棒
２０５  回転クランク棒
２０６  回転クランク棒
２１１  水圧、もしくは空気圧受皿
２１２  水圧、もしくは空気圧受皿
２１３  水圧、もしくは空気圧受皿
２１４  水圧、もしくは空気圧受皿
２１５  水圧、もしくは空気圧受皿
２１６  水圧、もしくは空気圧受皿
２３０  チェーン
３４０  チェーン
４５０  ベルト
【図１】
0003228193.tif 000003
【図２】
0003228193.tif 000004
【図３】
0003228193.tif 000005
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
３本の柱部を有する筐体と、
枠上部に水、及び空気の吹き出し部を有する入力部と、
水、及び空気を受け止める受け皿部と、
前記受け皿部で受けた力がクランク棒を介し回転する回転クランク台部と、
前記回転クランク台部と一体の軸部と、
前記軸部と接続された第１鎖車部と、
前記第１鎖車部が回転することで動作する第１チェーン部と、
前記第１チェーン部が動作することで回転する大鎖車部と、
前記大鎖車と一体となって回転する第２鎖車部と、
前記第２鎖車部が回転することで動作する第２チェーン部と、
前記第２チェーン部が動作することで回転する第３鎖車部と、
前記第３鎖車部と一体と大ベルト車部と、
前記大ベルト車部が回転することで動作するベルト部と、
前記ベルトが動作することで回転するベルト車部と、
前記ベルト部が回転することで、力が出力される回転部と、
を備えることを特徴とする入力増幅装置